(57)【要約】【課題】より小さい領域、かつ、より簡単な構造の入力部を構成する。【解決手段】入力部５１は、タッチされてからタッチされたまま所定の方向に接触部位が移動するスライド入力を受け付け、それぞれ隣接する複数のキーからなり、スライド入力検出部７１ｂは、入力部５１において、隣接するキー間のスライド入力を検出し、選択部７２は、スライド入力検出部７１ｂによって検出されたスライド入力に応じて、表示部５４に表示される選択項目に対応する情報を選択する。本発明は、例えば、携帯端末装置に適用することができる。【選択図】図３
2011013730.tif 000002
【特許請求の範囲】
【請求項１】
表示部の表示に対応した情報を入力する入力装置において、
タッチされてからタッチされたまま所定の方向に接触部位が移動するスライド入力を受け付ける入力部であって、それぞれ隣接する複数の入力機構からなる入力部と、
前記入力部において、隣接する前記入力機構間のスライド入力を検出するスライド入力検出手段と、
前記スライド入力検出手段によって検出されたスライド入力に応じて、前記表示部に表示される選択項目に対応する前記情報を選択する選択手段と
を備える入力装置。
【請求項２】
前記複数の入力機構はマトリクス状に配置され、
前記スライド入力検出手段は、所定の方向に隣接する前記入力機構間のスライド入力である第１のスライド入力と、前記所定の方向と直交する方向に隣接する前記入力機構間のスライド入力である第２のスライド入力とを検出し、
前記選択手段は、前記スライド入力検出手段によって、前記第１のスライド入力が検出された場合、前記表示部に表示された選択項目に対応する前記情報を所定の順番に選択し、前記第２のスライド入力が検出された場合、前記表示部に表示された選択項目に対応する前記情報を前記所定の順番と逆の順番に選択する
請求項１に記載の入力装置。
【請求項３】
前記入力機構のそれぞれに対するタッチ入力を検出するタッチ入力検出手段をさらに備え、
前記選択手段は、前記第１のスライド入力が検出された場合、前記表示部に表示された選択項目に対応する、前記タッチ入力検出手段によってタッチ入力が検出された前記入力機構に対応する情報に付随する付随情報を所定の順番に選択し、前記第２のスライド入力が検出された場合、前記表示部に表示された選択項目に対応する前記付随情報を前記所定の順番と逆の順番に選択する
請求項２に記載の入力装置。
【請求項４】
前記入力機構のいずれかにおけるプッシュ入力を検出するプッシュ入力検出手段と、
前記プッシュ入力検出手段によって、前記入力機構におけるプッシュ入力が検出されたとき、前記選択手段によって選択された前記付随情報を入力情報として決定する決定手段とをさらに備える
請求項３に記載の入力装置。
【請求項５】
前記決定手段は、前記入力機構においてタッチ入力が開放されたとき、前記選択手段によって選択された前記付随情報を入力情報として決定する
請求項４に記載の入力装置。
【請求項６】
前記タッチ入力検出手段は、文字入力において入力される文字のグループが割り当てられた前記入力機構のそれぞれに対するタッチ入力を検出し、
前記選択手段は、前記第１のスライド入力が検出された場合、前記表示部に表示された、前記タッチ入力検出手段によってタッチ入力が検出された前記入力機構に対応する前記文字のグループに含まれる文字を所定の順番に選択し、前記第２のスライド入力が検出された場合、前記表示部に表示された前記文字のグループに含まれる文字を前記所定の順番と逆の順番に選択し、
前記決定手段は、前記入力機構におけるプッシュ入力が検出されたとき、前記選択手段によって選択されている前記文字を入力文字として決定する
請求項４に記載の入力装置。
【請求項７】
前記選択手段は、前記第１のスライド入力が検出された場合、前記表示部に表示された、前記タッチ入力検出手段によってタッチ入力が検出された前記入力機構に対応する文字入力における文字の変換候補を所定の順番に選択し、前記第２のスライド入力が検出された場合、前記表示部に表示された前記文字の変換候補を前記所定の順番と逆の順番に選択し、
前記決定手段は、前記入力機構におけるプッシュ入力が検出されたとき、前記選択手段によって選択されている前記文字の変換候補を決定する
請求項４に記載の入力装置。
【請求項８】
前記選択手段は、前記第１のスライド入力が検出された場合、前記表示部に表示された、前記タッチ入力検出手段によってタッチ入力が検出された前記入力機構に対応する文字入力において設定される文字の書式を所定の順番に選択し、前記第２のスライド入力が検出された場合、前記表示部に表示された前記文字の書式を前記所定の順番と逆の順番に選択し、
前記決定手段は、前記入力機構におけるプッシュ入力が検出されたとき、前記選択手段によって選択されている前記文字の書式を決定する
請求項４に記載の入力装置。
【請求項９】
前記タッチ入力検出手段は、コンテンツが割り当てられた前記入力機構のそれぞれに対するタッチ入力を検出し、
前記選択手段は、前記第１のスライド入力が検出された場合、前記表示部に表示された、前記タッチ入力検出手段によってタッチ入力が検出された前記入力機構に対応する前記コンテンツのコンテンツ関連情報を所定の順番に選択し、前記第２のスライド入力が検出された場合、前記表示部に表示された前記コンテンツ関連情報を前記所定の順番と逆の順番に選択し、
前記決定手段は、前記入力機構におけるプッシュ入力が検出されたとき、前記選択手段によって選択されている前記コンテンツ関連情報を決定する
請求項４に記載の入力装置。
【請求項１０】
前記タッチ入力検出手段によって前記入力機構のいずれかに対するタッチ入力が検出されたとき、タッチ入力が検出された前記入力機構に対応する前記コンテンツの前記コンテンツ関連情報の、前記表示部への表示の指示を供給する供給手段をさらに備える
請求項９に記載の入力装置。
【請求項１１】
前記供給手段は、前記入力機構のいずれかに対する所定時間以上のタッチ入力が検出されたとき、所定時間以上のタッチ入力が検出された前記入力機構に対応する前記コンテンツの、前記表示部の所定の領域への表示の指示を供給する
請求項１０に記載の入力装置。
【請求項１２】
前記供給手段は、前記入力機構のいずれかにおける所定時間以上のプッシュ入力が検出されたとき、所定時間以上のプッシュ入力が検出された前記入力機構に、前記表示部において表示されている前記コンテンツを新たに割り当てる指示を供給する
請求項１１に記載の入力装置。
【請求項１３】
前記タッチ入力検出手段は、コンテンツの視聴に関わるアプリケーションが割り当てられた前記入力機構のそれぞれに対するタッチ入力を検出し、
前記選択手段は、前記第１のスライド入力が検出された場合、前記表示部に表示された、前記タッチ入力検出手段によってタッチ入力が検出された前記入力機構に対応する前記アプリケーションによって設定されるパラメータを所定の順番に選択し、前記第２のスライド入力が検出された場合、前記表示部に表示された前記パラメータを前記所定の順番と逆の順番に選択し、
前記決定手段は、前記入力機構におけるプッシュ入力が検出されたとき、前記選択手段によって選択されている前記パラメータを決定する
請求項４に記載の入力装置。
【請求項１４】
表示部の表示に対応した情報を入力し、タッチされてからタッチされたまま所定の方向に接触部位が移動するスライド入力を受け付ける入力部であって、それぞれ隣接する複数の入力機構からなる入力部を備える入力装置の入力方法において、
前記入力部において、隣接する前記入力機構間のスライド入力を検出するスライド入力検出ステップと、
前記スライド入力検出ステップの処理によって検出されたスライド入力に応じて、前記表示部に表示される選択項目に対応する前記情報を選択する選択ステップと
を含む入力方法。
【発明の詳細な説明】
【技術分野】
【０００１】
本発明は、入力装置および入力方法に関し、特に、より小さい領域、かつ、より簡単な構造の入力部を構成することができるようにする入力装置および入力方法に関する。
【背景技術】
【０００２】
文字入力の手法の１つとして、ソフトウェアキーボードにおいて子音アルファベット文字（キー）をタッチした後に、その位置から５方向のスライドを受け付け、その方向（角度）に応じて母音アルファベット文字を決めるようにしたものがある（特許文献１参照）。
【先行技術文献】
【特許文献】
【０００３】
【特許文献１】特開２００５−２７５６３５号公報
【発明の概要】
【発明が解決しようとする課題】
【０００４】
しかしながら、特許文献１の手法においては、例えば、ソフトウェアキーボードの右端のキーであっても右にスライドさせる必要があるため、タッチパネルにおいてソフトウェアキーボードが表示される領域の周囲に、スライドさせるための領域を設ける必要がある。さらに、上述の手法を、ハードウェアキーボードに適用した場合には、それぞれのキーに対して各方向のセンサを設ける必要があり、構造が複雑化する。
【０００５】
本発明は、このような状況に鑑みてなされたものであり、特に、より小さい領域、かつ、より簡単な構造の入力部を構成するようにするものである。
【課題を解決するための手段】
【０００６】
本発明の一側面の入力装置は、表示部の表示に対応した情報を入力する入力装置であって、タッチされてからタッチされたまま所定の方向に接触部位が移動するスライド入力を受け付ける入力部であって、それぞれ隣接する複数の入力機構からなる入力部と、前記入力部において、隣接する前記入力機構間のスライド入力を検出するスライド入力検出手段と、前記スライド入力検出手段によって検出されたスライド入力に応じて、前記表示部に表示される選択項目に対応する前記情報を選択する選択手段とを備える。
【０００７】
前記複数の入力機構はマトリクス状に配置され、前記スライド入力検出手段には、所定の方向に隣接する前記入力機構間のスライド入力である第１のスライド入力と、前記所定の方向と直交する方向に隣接する前記入力機構間のスライド入力である第２のスライド入力とを検出させ、前記選択手段には、前記スライド入力検出手段によって、前記第１のスライド入力が検出された場合、前記表示部に表示された選択項目に対応する前記情報を所定の順番に選択させ、前記第２のスライド入力が検出された場合、前記表示部に表示された選択項目に対応する前記情報を前記所定の順番と逆の順番に選択させることができる。
【０００８】
前記入力装置には、前記入力機構のそれぞれに対するタッチ入力を検出するタッチ入力検出手段をさらに設け、前記選択手段には、前記第１のスライド入力が検出された場合、前記表示部に表示された選択項目に対応する、前記タッチ入力検出手段によってタッチ入力が検出された前記入力機構に対応する情報に付随する付随情報を所定の順番に選択させ、前記第２のスライド入力が検出された場合、前記表示部に表示された選択項目に対応する前記付随情報を前記所定の順番と逆の順番に選択させることができる。
【０００９】
前記入力部におけるプッシュ入力を検出するプッシュ入力検出手段と、
前記プッシュ入力検出手段によって、前記入力部においてプッシュ入力が検出されたとき、前記選択手段によって選択された前記付随情報を入力情報として決定する決定手段とをさらに設けることができる。
【００１０】
前記決定手段には、前記入力機構においてタッチ入力が開放されたとき、前記選択手段によって選択された前記付随情報を入力情報として決定させることができる。
【００１１】
前記タッチ入力検出手段には、文字入力において入力される文字のグループが割り当てられた前記入力機構のそれぞれに対するタッチ入力を検出させ、前記選択手段には、前記第１のスライド入力が検出された場合、前記表示部に表示された、前記タッチ入力検出手段によってタッチ入力が検出された前記入力機構に対応する前記文字のグループに含まれる文字を所定の順番に選択させ、前記第２のスライド入力が検出された場合、前記表示部に表示された前記文字のグループに含まれる文字を前記所定の順番と逆の順番に選択させ、前記決定手段には、前記入力機構におけるプッシュ入力が検出されたとき、前記選択手段によって選択されている前記文字を入力文字として決定させることができる。
【００１２】
前記選択手段には、前記第１のスライド入力が検出された場合、前記表示部に表示された、前記タッチ入力検出手段によってタッチ入力が検出された前記入力機構に対応する文字入力における文字の変換候補を所定の順番に選択させ、前記第２のスライド入力が検出された場合、前記表示部に表示された前記文字の変換候補を前記所定の順番と逆の順番に選択させ、前記決定手段には、前記入力機構におけるプッシュ入力が検出されたとき、前記選択手段によって選択されている前記文字の変換候補を決定させることができる。
【００１３】
前記選択手段には、前記第１のスライド入力が検出された場合、前記表示部に表示された、前記タッチ入力検出手段によってタッチ入力が検出された前記入力機構に対応する文字入力において設定される文字の書式を所定の順番に選択させ、前記第２のスライド入力が検出された場合、前記表示部に表示された前記文字の書式を前記所定の順番と逆の順番に選択させ、前記決定手段には、前記入力機構におけるプッシュ入力が検出されたとき、前記選択手段によって選択されている前記文字の書式を決定させることができる。
【００１４】
前記タッチ入力検出手段には、コンテンツが割り当てられた前記入力機構のそれぞれに対するタッチ入力を検出させ、前記選択手段には、前記第１のスライド入力が検出された場合、前記表示部に表示された、前記タッチ入力検出手段によってタッチ入力が検出された前記入力機構に対応する前記コンテンツのコンテンツ関連情報を所定の順番に選択させ、前記第２のスライド入力が検出された場合、前記表示部に表示された前記コンテンツ関連情報を前記所定の順番と逆の順番に選択させ、前記決定手段には、前記入力機構におけるプッシュ入力が検出されたとき、前記選択手段によって選択されている前記コンテンツ関連情報を決定させることができる。
【００１５】
前記入力装置には、前記入力機構のいずれかに対するタッチ入力が検出されたとき、タッチ入力が検出された前記入力機構に対応する前記コンテンツの前記コンテンツ関連情報の、前記表示部への表示の指示を供給する供給手段をさらに設けることができる。
【００１６】
前記供給手段には、前記入力機構のいずれかに対する所定時間以上のタッチ入力が検出されたとき、所定時間以上のタッチ入力が検出された前記入力機構に対応する前記コンテンツの、前記表示部の所定の領域への表示の指示を供給させることができる。
【００１７】
前記供給手段には、前記プッシュ入力検出手段によって前記入力機構のいずれかにおける所定時間以上のプッシュ入力が検出されたとき、所定時間以上のプッシュ入力が検出された前記入力機構に、前記表示部において表示されている前記コンテンツを新たに割り当てる指示を供給させることができる。
【００１８】
前記タッチ入力検出手段には、コンテンツの視聴に関わるアプリケーションが割り当てられた前記入力機構のそれぞれに対するタッチ入力を検出させ、前記選択手段には、前記第１のスライド入力が検出された場合、前記表示部に表示された、前記タッチ入力検出手段によってタッチ入力が検出された前記入力機構に対応する前記アプリケーションによって設定されるパラメータを所定の順番に選択し、前記第２のスライド入力が検出された場合、前記表示部に表示された前記パラメータを前記所定の順番と逆の順番に選択させ、前記決定手段には、前記入力機構におけるプッシュ入力が検出されたとき、前記選択手段によって選択されている前記パラメータを決定させることができる。
【００１９】
本発明の一側面の入力方法は、表示部の表示に対応した情報を入力し、タッチされてからタッチされたまま所定の方向に接触部位が移動するスライド入力を受け付ける入力部であって、それぞれ隣接する複数の入力機構からなる入力部を備える入力装置の入力方法であって、前記入力部において、隣接する前記入力機構間のスライド入力を検出するスライド入力検出ステップと、前記スライド入力検出ステップの処理によって検出されたスライド入力に応じて、前記表示部に表示される選択項目に対応する前記情報を選択する選択ステップとを含む。
【００２０】
本発明の一側面においては、入力部において、隣接する入力機構間のスライド入力が検出され、検出されたスライド入力に応じて、表示部に表示される選択項目に対応する情報が選択される。
【発明の効果】
【００２１】
本発明の一側面によれば、より小さい領域、かつ、より簡単な構造の入力部を構成することが可能となる。
【図面の簡単な説明】
【００２２】
【図１】本発明を適用した入力装置の外観構成例を示す図である。
【図２】入力部のハードウェア構成について説明する図である。
【図３】本発明を適用した入力装置としての携帯端末装置の一実施の形態の構成例を示すブロック図である。
【図４】携帯端末装置における情報の選択の動作について説明する図である。
【図５】携帯端末装置による文字入力処理について説明するフローチャートである。
【図６】文字入力処理に用いられる入力部について説明する図である。
【図７】携帯端末装置による文字選択処理について説明するフローチャートである。
【図８】文字入力処理における表示部について説明する図である。
【図９】携帯端末装置による変換処理について説明するフローチャートである。
【図１０】変換処理における表示部について説明する図である。
【図１１】変換処理におけるスライド入力について説明する図である。
【図１２】携帯端末装置による書式設定処理について説明するフローチャートである。
【図１３】書式設定処理における表示部について説明する図である。
【図１４】書式設定処理におけるスライド入力について説明する図である。
【図１５】本発明を適用した入力装置としてのリモートコントローラ、および、対応するテレビジョン受像機の一実施の形態の構成例を示すブロック図である。
【図１６】リモートコントローラによる番組選択処理について説明するフローチャートである。
【図１７】番組選択処理におけるリモートコントローラの入力部と、テレビジョン受像機の表示部について説明する図である。
【図１８】リモートコントローラによる番組関連情報選択処理について説明するフローチャートである。
【図１９】テレビジョン受像機の表示部に表示される選択項目について説明する図である。
【図２０】番組選択処理におけるリモートコントローラの入力部と、テレビジョン受像機の表示部について説明する図である。
【図２１】番組選択処理におけるリモートコントローラの入力部と、テレビジョン受像機の表示部について説明する図である。
【図２２】番組選択処理におけるリモートコントローラの入力部と、テレビジョン受像機の表示部について説明する図である。
【発明を実施するための形態】
【００２３】
以下、本発明の実施の形態について図を参照して説明する。なお、説明は以下の順序で行う。
１．本発明の入力装置における入力部の概観
２．第１の実施の形態（携帯端末装置における文字入力）
３．第２の実施の形態（テレビジョン受像機におけるコンテンツ選択）
【００２４】
＜１．本発明の入力装置における入力部の概観＞
［入力部の外観構成例］
図１は、本発明を適用した入力装置の外観構成例を示している。
【００２５】
図１に示されるように、入力装置の入力部１は、ユーザの指や、ユーザが操作するスタイラスペン等によるタッチ（接触）により、対応する情報を入力するための入力機構であるキー２−１乃至２−１２を備えている。図１に示されるように、キー２−１乃至２−１２は、マトリクス状に配置され、いわゆるテンキーを構成している。入力部１は、ユーザの指等によるキー２−１乃至２−１２へのタッチ入力を受け付ける。また、入力部１は、キー２−１乃至２−１２のうちのいずれかのキーから隣接するキーへ、ユーザの指等によってタッチされてから、タッチされたまま所定の方向に接触部位が移動するスライド入力を受け付ける。さらに、入力部１は、ユーザによるキー２−１乃至２−１２のうちのいずれかのキーがプッシュ（押下）されたときの、入力部１全体に対するプッシュ入力を受け付ける。
【００２６】
なお、以降においては、入力部１におけるキー２−１乃至２−１２について、特に区別する必要がない場合には、単に、キー２と称する。
【００２７】
また、図１においては、キー２は、隣接するキー２と間隔をもって配置されているが、間隔なく配置されるようにしてもよい。特に、図１の入力部１を、ソフトウェアキーボードに適用する場合、各キー２は間隔なく配置されるようにして、キー２間のスライド入力を受け付けるようにする。
【００２８】
［入力部のハードウェア構成］
次に、図２を参照して、入力部１がハードウェアキーボードとしてのテンキーに適用された場合の、入力部１のハードウェア構成について説明する。
【００２９】
図２は、入力部１の側面断面図を示しており、図２の入力部１は、タッチセンサ１１、土台１２、鉛直方向スライダ１３、およびプッシュセンサ１４から構成される。
【００３０】
タッチセンサ１１は、土台１２の上に配置されており、図１のキー２のそれぞれに対応する。タッチセンサ１１は、ユーザによるキー２に対するタッチ（接触）を検出し、キー２それぞれにおいてタッチ入力がされたことを示す信号を、入力装置全体を制御する図示せぬCPU（Central Processing Unit）に供給する。
【００３１】
また、タッチセンサ１１は、ユーザの指がキー２にタッチされた状態から、例えば、ユーザの指がキー２から離れたときのリリース（開放）を検出し、キー２においてリリース入力がされたことを示す信号を、図示せぬCPUに供給する。
【００３２】
さらに、タッチセンサ１１は、例えば、図２において、右側のタッチセンサ１１のみ、右側と中央のタッチセンサ１１の両方、中央のタッチセンサ１１のみ、の順番にユーザの指によるタッチを検出したときに、右側のタッチセンサ１１から中央のタッチセンサ１１へのスライド入力を検出し、スライド入力がされたことを示す情報を、図示せぬCPUに供給する。
【００３３】
鉛直方向スライダ１３は、入力部１の外縁部に設けられており、土台１２を支持しつつ、タッチセンサ１１に対応するキー２のいずれかがプッシュ（押下）されたときに、土台１２とともに鉛直方向（図中、下方向）に移動する。また、鉛直方向スライダ１３は、ばね機構を含むように構成されており、タッチセンサ１１がプッシュ（押下）された後、ユーザの指が開放されると、そのばね機構により、土台１２とともにプッシュされる前の位置（図中、上方向）に移動する。このように、鉛直方向スライダ１３は、ばね機構により入力部１のクリック感（操作感）を表現する。
【００３４】
プッシュセンサ１４は、キー２に対応するタッチセンサ１１のいずれかがプッシュ（押下）され、図中下方向に移動した土台１２の下面部によって、その上部が押圧されると、プッシュ入力がされたことを示す信号を、図示せぬCPUに供給する。
【００３５】
なお、図２においては、キー２に対応するタッチセンサ１１は、剥き出しに構成されているが、例えば、タッチセンサ１１が機能する程度の厚さの樹脂等でその表面が覆われるようにしてもよい。
【００３６】
以下、上述した構成の入力部を備える入力装置の具体的な実施の形態について説明する。
【００３７】
＜２．第１の実施の形態（携帯端末装置における文字入力）＞
［携帯端末装置の構成例］
図３は、本発明を適用した入力装置としての携帯端末装置の一実施の形態の構成例を示している。
【００３８】
図３の携帯端末装置３１は、例えば、携帯電話機やPDA（Personal Digital Assistant）等として構成され、入力部５１、記憶部５２、通信部５３、表示部５４、および制御部５５から構成される。
【００３９】
入力部５１は、上述した入力部１を含む各種のボタン等から構成され、例えば、ユーザの操作に基づいて、タッチ入力、リリース入力、スライド入力、および、プッシュ入力を受け付ける他、各種のボタン等に対するユーザの操作による入力を受け付ける。
【００４０】
記憶部５２は、ハードディスクドライブや、メモリカード等の半導体メモリ等からなり、例えば、携帯端末装置３１全体の動作を制御するためのプログラム、文字入力における文字の変換に用いられる辞書データ等を記録している。
【００４１】
通信部５３は、有線または無線のネットワークを介して、他の装置との間で、データの送受信を行う。例えば、通信部５３は、USB（Universal Serial Bus）ケーブルを介した有線通信や赤外線等による近距離無線通信を行う。
【００４２】
表示部５４は、LCD（Liquid Crystal Display）や有機EL（Electro Luminescence）等の表示デバイスからなり、入力部５１に対するユーザの操作に応じた制御部５５からの制御信号に基づいて、文字や画像を表示する。
【００４３】
制御部５５は、上述したCPUや、タッチセンサ１１およびプッシュセンサ１４の機能を含むように構成され、記憶部５２に記憶されているプログラムに基づいて携帯端末装置３１全体を制御する。制御部５５は、入力検出部７１、選択部７２、および決定部７３から構成される。
【００４４】
入力検出部７１は、入力部５１における入力を検出し、対応した処理を制御部５５に実行させる。また、入力検出部７１は、タッチ入力検出部７１ａ、スライド入力検出部７１ｂ、およびプッシュ入力検出部７１ｃを備えている。タッチ入力検出部７１ａ、スライド入力検出部７１ｂ、およびプッシュ入力検出部７１ｃは、それぞれ、入力部５１におけるタッチ入力およびリリース入力、スライド入力、並びにプッシュ入力を検出し、対応する検出信号を、適宜、選択部７２または決定部７３に供給する。
【００４５】
選択部７２は、入力検出部７１からの検出信号に基づいて、複数の情報の中から所定の情報を選択し、対応する選択信号を表示部５４に供給する。
【００４６】
決定部７３は、入力検出部７１からの検出信号に基づいて、選択部７２によって選択されている情報を決定する他、制御部５５において実行される処理の内容を決定（確定）し、対応する決定信号を表示部５４に供給する。
【００４７】
ここで、図４を参照して、携帯端末装置３１における情報の選択の動作について説明する。
【００４８】
図４においては、携帯電話機としての携帯端末装置３１が示されており、図４下側には入力部５１、図４上側には表示部５４が示されている。
【００４９】
図４下側に示されるように、入力部５１において、ユーザによって、数字の「５」が記されたキー（図１のキー２−５に対応するキー）に対するタッチ入力がされた場合、タッチ入力検出部７１ａは、そのタッチ入力を検出し、対応する検出信号を選択部７２に供給する。選択部７２は、タッチ入力検出部７１ａからの検出信号に基づいて、数字の「５」が記されたキーに対応する情報に関連したり付随する情報（以下、付随情報という）を記憶部５２から読み出し、一時的に記憶するとともに、記憶部５２から読み出した付随情報を表示するための表示信号を表示部５４に供給する。表示部５４は、選択部７２からの表示信号に基づいて、図４上側に示されるように、付随情報５−１乃至５−５のリストを表示する。
【００５０】
上述した状態から、入力部５１において、ユーザによって、数字の「５」が記されたキーから、図中、上下方向に隣接するキー（図１のキー２−２，２−８に対応するキー）へのスライド入力がされた場合、スライド入力検出部７１ｂは、上下方向へのスライド入力を検出し、対応する検出信号を選択部７２に供給する。選択部７２は、スライド入力検出部７１ｂからの検出信号に基づいて、表示部５４に表示されているリスト（以下、選択項目ともいう）において、図中、下方向にフォーカス（図４では、付随情報５−３に付されている太枠）が遷移するように、付随情報を選択する。すなわち、選択部７２は、入力部５１のキーにおいて、上下方向（図中、「＋１」と記されている矢印の方向）に隣接するキー間のスライド入力が検出されたとき、表示部５４の選択項目において、下方向（図中、「＋１」と記されている矢印の方向）にフォーカスが遷移するように、一時的に記憶している付随情報を選択する。
【００５１】
一方、入力部５１において、ユーザによって、数字の「５」が記されたキーから、図中、左右方向に隣接するキー（図１のキー２−４，２−６に対応するキー）へのスライド入力がされた場合、スライド入力検出部７１ｂは、左右方向へのスライド入力を検出し、対応する検出信号を選択部７２に供給する。選択部７２は、スライド入力検出部７１ｂからの検出信号に基づいて、表示部５４に表示されている選択項目において、図中、上方向にフォーカスが遷移するように、付随情報を選択する。すなわち、選択部７２は、入力部５１のキーにおいて、左右方向（図中、「−１」と記されている矢印の方向）に隣接するキー間のスライド入力が検出されたとき、表示部５４の選択項目において、上方向（図中、「−１」と記されている矢印の方向）にフォーカスが遷移するように、一時的に記憶している付随情報を選択する。
【００５２】
このようにして、携帯端末装置３１は、入力部５１のキー間のスライド入力に応じて、表示部５４に表示された選択項目に対応した付随情報を選択する。
【００５３】
［携帯端末装置による文字入力処理］
次に、図５のフローチャートを参照して、携帯端末装置３１による文字入力処理について説明する。
【００５４】
ステップＳ１１において、入力検出部７１のタッチ入力検出部７１ａは、入力部５１において、所定のキーがタッチされたか否かを判定する。
【００５５】
ここで、図６を参照して、文字入力処理に用いられる入力部５１について説明する。
【００５６】
図６の左側（状態Ａ）に示されるように、入力部５１の各キーには、対応する図１のキー２−１乃至２−１２の順番に、「あ」、「か」、「さ」、「た」、「な」、「は」、「ま」、「や」、「ら」、「記」、「わ」、および「特」の文字が記されている。すなわち、入力部５１の各キーには、文字のグループとしての五十音における各行の文字が対応付けられている。より具体的には、例えば、「あ」の文字が記された、図１のキー２−１に対応するキーには、五十音における“あ行”、すなわち、“あ”、“い”、“う”、“え”、“お”、“ぁ”、“ぃ”、“ぅ”、“ぇ”、および“ぉ”の１０文字が対応付けられている。同様に、例えば、「さ」の文字が記された、図１のキー２−３に対応するキーには、五十音における“さ行”、すなわち、“さ”、“し”、“す”、“せ”、および“そ”の５文字が対応付けられている。また、図１のキー２−１１に対応するキーに記されている「記」は、“記号”を意味しており、このキーには、“、”（読点）、“。”（句点）、“・”（中黒）、“！”（感嘆符）、および“？”（疑問符）等が対応付けられている。さらに、図１のキー２−１３に対応するキーに記されている「特」は、“特殊文字”を意味しており、このキーには、“゛”（濁点）、“゜”（半濁点）、“ー”（長音符）、および“  ”（空白）等が対応付けられている。
【００５７】
ステップＳ１１において、図６の状態Ａに示されるキーのうちのいずれのキーもタッチされていないと判定された場合、タッチ入力検出部７１ａが、所定のキーにおけるタッチ入力を検出するまで、処理は繰り返される。
【００５８】
一方、ステップＳ１１において、図６の状態Ａに示されるキーのうちの所定のキーがタッチされたと判定された場合、すなわち、タッチ入力検出部７１ａがタッチ入力を検出した場合、タッチ入力検出部７１ａは、対応する検出信号を選択部７２に供給する。選択部７２は、タッチ入力検出部７１ａからの検出信号に基づいて、タッチされたキーに対応する情報（子音の行）の付随情報（文字）を記憶部５２から読み出し、一時的に記憶して、処理はステップＳ１２に進む。
【００５９】
ステップＳ１２において、表示部５４は、タッチされたキーに対応する子音の文字を表示する。より具体的には、選択部７２は、記憶部５２から読み出した付随情報のうちのタッチされたキーに対応する情報を表示するための表示信号を表示部５４に供給し、表示部５４は、選択部７２からの表示信号に基づいて、タッチされたキーに対応する子音の文字を表示する。例えば、図６の状態Ａにおいて、入力部５１のキーのうちの、「さ」の文字が記されたキーがタッチされた場合、表示部５４は、“さ行”の先頭の文字である“さ”を表示する。
【００６０】
ステップＳ１３において、プッシュ入力検出部７１ｃは、入力部５１において、所定のキー（例えば、ステップＳ１１でタッチされたキー）がプッシュされたか否かを判定する。
【００６１】
ステップＳ１３において、所定のキーがプッシュされなかったと判定された場合、処理はステップＳ１４に進み、タッチ入力検出部７１ａは、タッチされているキーがリリースされたか否かを判定する。
【００６２】
ステップＳ１４において、タッチされているキーがリリースされたと判定された場合、タッチ入力検出部７１ａは、そのリリース入力を検出し、対応する検出信号を決定部７３に供給して、処理はステップＳ１５に進む。
【００６３】
ステップＳ１５において、制御部５５は、タッチ入力検出部７１ａがリリース入力を検出したことに応じて、終了フラグをＯＮし、処理はステップＳ１６に進む。
【００６４】
ここで、終了フラグは、制御部５５内の図示せぬ記憶領域にセットされるフラグであり、終了フラグがＯＮされると、携帯端末装置３１は、文字入力処理における所定の処理をスキップして、文字入力処理を終了する。終了フラグは、文字入力処理が開始されたときにはＯＦＦされている。
【００６５】
一方、ステップＳ１３において、所定のキーがプッシュされたと判定された場合、プッシュ入力検出部７１ｃは、そのプッシュ入力を検出し、対応する検出信号を決定部７３に供給し、処理はステップＳ１６に進む。
【００６６】
ステップＳ１６において、制御部５５は、決定部７３に所定の検出信号が供給された事に応じて、終了フラグがＯＦＦであるか否かを判定する。
【００６７】
ステップＳ１６において、終了フラグがＯＦＦであると判定された場合、処理はステップＳ１７に進み、携帯端末装置３１は、タッチされたキーに対応する子音の行の文字を選択する文字選択処理を実行する。
【００６８】
［携帯端末装置による文字選択処理］
ここで、図７のフローチャートを参照して、携帯端末装置３１による文字選択処理について説明する。
【００６９】
ステップＳ３１において、表示部５４は、タッチされたキーに対応する子音の行の文字を選択する選択項目を表示する。より具体的には、選択部７２は、記憶部５２から読み出した付随情報を表示するための表示信号を表示部５４に供給し、表示部５４は、選択部７２からの表示信号に基づいて、タッチされたキーに対応する子音の行の文字を選択する選択項目を表示する。
【００７０】
例えば、図６の状態Ａにおいて、入力部５１のキーのうちの、「さ」の文字が記されたキーがタッチされ、プッシュされた場合、図８に示されるように、表示部５４は、“さ行”の文字、“さ”、“し”、“す”、“せ”、および“そ”を選択する選択項目を表示する。図８の表示部５４における選択項目においては、上から順番に、“さ”、“し”、“す”、“せ”、および“そ”の５文字が表示されている。なお、選択項目が表示された直後においては、選択項目“さ”がフォーカスされ、表示部５４の左上には、ステップＳ１２の処理により、“さ行”の先頭の文字“さ”が白黒反転して表示されている。
【００７１】
ステップＳ３２において、プッシュ入力検出部７１ｃは、入力部５１において、タッチされているキーがプッシュされたか否かを判定する。
【００７２】
ステップＳ３２において、タッチされているキーがプッシュされなかったと判定された場合、処理はステップＳ３３に進み、タッチ入力検出部７１ａは、入力部５１において、タッチされているキーがリリースされたか否かを判定する。
【００７３】
ステップＳ３３において、タッチされているキーがリリースされなかったと判定された場合、すなわち、図５のフローチャートのステップＳ１３においてプッシュされたキーがタッチされたままである場合、処理はステップＳ３４に進む。
【００７４】
ステップＳ３４において、スライド入力検出部７１ｂは、タッチされているキーからスライドされたか否かを判定する。
【００７５】
ステップＳ３４において、タッチされているキーからスライドされたと判定された場合、すなわち、スライド入力検出部７１ｂがスライド入力を検出した場合、スライド入力検出部７１ｂは、対応する検出信号を選択部７２に供給し、処理は、ステップＳ３５に進む。例えば、図６の状態Ａにおいて、「さ」の文字が記されたキーがタッチされた場合には、上方向および右方向には隣接するキーが存在しないので、下方向または左方向にスライドされたか否かが判定される。
【００７６】
ステップＳ３５において、選択部７２は、スライド入力検出部７１ｂからの検出信号に基づいて、タッチされたキーから上下方向にスライドされたか否かを判定する。より具体的には、スライド入力検出部７１ｂからの検出信号には、タッチされたキーから上下方向にスライドされたか、左右方向にスライドされたかを示すスライド方向情報が含まれており、選択部７２は、そのスライド方向情報に基づいて、タッチされたキーから上下方向にスライドされたか否かを判定する。
【００７７】
ステップＳ３５において、タッチされたキーから上下方向にスライドされたと判定された場合、処理はステップＳ３６に進む。
【００７８】
ステップＳ３６において、表示部５４は、選択項目において、そのフォーカスを１つ進める。より具体的には、選択部７２は、表示部５４の選択項目において、そのフォーカスを１つ進めるように、最初にタッチされたキーに対応する行の文字を選択する。例えば、図８で示される表示部５４においては、選択部７２は、選択項目“さ”から、下方向にフォーカスを１つ遷移させるように、“さ行”の２番目の文字である“し”を選択する。その後、処理はステップＳ３２に戻る。
【００７９】
一方、ステップＳ３５において、タッチされたキーから上下方向にスライドされていないと判定された場合、すなわち、タッチされたキーから左右方向にスライドされた場合、処理はステップＳ３７に進む。
【００８０】
ステップＳ３７において、表示部５４は、選択項目において、そのフォーカスを１つ戻す。より具体的には、選択部７２は、表示部５４の選択項目において、そのフォーカスを１つ戻すように、最初にタッチされたキーに対応する行の文字を選択する。例えば、図８で示される表示部５４においては、選択部７２は、選択項目“さ”から、上方向に（この場合は、一番下の選択項目に）フォーカスを１つ遷移させるように、“さ行”の５番目の文字である“そ”を選択する。その後、処理はステップＳ３２に戻る。
【００８１】
すなわち、ステップＳ３２乃至Ｓ３７の処理において、プッシュもリリースもされないで、スライドが検出される毎に、そのスライド方向に応じて、表示部５４の選択項目におけるフォーカスが上または下に遷移する。
【００８２】
一方、ステップＳ３３において、タッチされているキーがリリースされたと判定された場合、タッチ入力検出部７１ａは、そのリリース入力を検出し、対応する検出信号を決定部７３に供給して、処理はステップＳ３８に進む。
【００８３】
ステップＳ３８において、制御部５５は、タッチ入力検出部７１ａがリリース入力を検出したことに応じて、終了フラグをＯＮし、処理はステップＳ３９に進む。
【００８４】
また、ステップＳ３２において、タッチされているキーがプッシュされたと判定された場合、プッシュ入力検出部７１ｃは、そのプッシュ入力を検出し、対応する検出信号を決定部７３に供給して、処理はステップＳ３９に進む。
【００８５】
ステップＳ３９において、決定部７３は、タッチ入力検出部７１ａまたはプッシュ入力検出部７１ｃからの検出信号に基づいて、ステップＳ３２においてプッシュされたか、ステップＳ３３においてリリースされたときに表示部５４においてフォーカスのある選択項目の文字（かな文字）を、入力文字として決定し、対応する決定信号を表示部５４に供給する。このとき、例えば、表示部５４においては、ステップＳ３９で決定された１文字が、図８に示される表示部５４の左上の位置に表示されるとともに、その右側への次の文字（２文字目）の入力待機状態となる。
【００８６】
例えば、図６の状態Ａから「さ」の文字が記されたキーがタッチされ、図６の右側（状態Ｂ）に示されるように、“下方向に３、上方向に１、左方向に１スライドされた場合、表示部５４においてフォーカスが遷移する選択項目に対応する文字は、“し”、“す”、“せ”、“そ”、“せ”と遷移する。このとき、最終的にタッチされているキーは、図１のキー２−８に対応するキー（図中、網掛けされているキー）となり、そのキーがプッシュまたはリリースされると、表示部５４（図７の表示部において“さ”の文字が表示されている部分）には、“せ”の文字が表示され、２文字目の入力待機状態となる。
【００８７】
以上の処理によれば、携帯端末装置３１は、タッチされたキーに割り当てられている文字のグループから所定の文字を選択する選択項目を表示し、入力部５１の上下方向または左右方向のキー間のスライド入力のみによって、表示部５４に表示された選択項目に対応した文字を選択することができる。
【００８８】
図５のフローチャートに戻り、ステップＳ１７の文字選択処理の後、ステップＳ１８において、プッシュ入力検出部７１ｃは、入力部５１において、所定のキーがプッシュされたか否かを判定する。
【００８９】
ステップＳ１８において、いずれのキーもプッシュされていないと判定された場合、処理はステップＳ１１に戻り、これ以降の処理が繰り返される。すなわち、２文字目以降の入力が受け付けられる。
【００９０】
一方、ステップＳ１８において、所定のキーがプッシュされたと判定された場合、プッシュ入力検出部７１ｃは、そのプッシュ入力を検出し、対応する検出信号を選択部７２および決定部７３に供給する。決定部７３は、プッシュ入力検出部７１ｃからの検出信号に基づいて、ステップＳ１１乃至Ｓ１７の処理によって選択され、決定された文字（文字列）を、入力文字（入力文字列）として確定し、処理はステップＳ１９に進む。
【００９１】
また、ステップＳ１６において、終了フラグがＯＦＦでないと判定された場合、すなわち、ステップＳ１５、または２回目以降のステップＳ１７において終了フラグがＯＮされた場合、ステップＳ１７，Ｓ１８をスキップし、処理はステップＳ１９に進む。
【００９２】
ステップＳ１９において、制御部５５は、ステップＳ１８において決定部７３に検出信号が検出されたことに応じて、終了フラグがＯＦＦであるか否かを判定する。
【００９３】
ステップＳ１９において、終了フラグがＯＦＦであると判定された場合、処理はステップＳ２０に進み、携帯端末装置３１は、確定された入力文字（入力文字列）を変換する変換処理を実行する。
【００９４】
［携帯端末装置による変換処理］
ここで、図９のフローチャートを参照して、携帯端末装置３１による変換処理について説明する。
【００９５】
ステップＳ４１において、表示部５４は、ステップＳ１８において確定された入力文字（入力文字列）の変換候補を選択する選択項目を表示する。より具体的には、選択部７２は、ステップＳ１８において供給されたプッシュ入力検出部７１ｃからの検出信号に基づいて、記憶部５２から、確定された入力文字の変換候補を読み出し、その変換候補を表示するための表示信号を表示部５４に供給する。表示部５４は、選択部７２からの表示信号に基づいて、入力文字の変換候補を選択する選択項目を表示する。
【００９６】
例えば、ステップＳ１８において入力文字列として“せき”が確定された場合、図１０に示されるように、表示部５４は、“せき”の変換候補“積”、“関”、“席”、“咳”、および“籍”を選択する選択項目を表示する。図１０の表示部５４における選択項目においては、上から順番に、“積”、“関”、“席”、“咳”、および“籍”の５つの変換候補が表示されている。なお、選択項目が表示された直後においては、選択項目“積”がフォーカスされている。
【００９７】
ステップＳ４２において、プッシュ入力検出部７１ｃは、入力部５１において、タッチされているキーがプッシュされたか否かを判定する。
【００９８】
ステップＳ４２において、タッチされているキーがプッシュされなかったと判定された場合、処理はステップＳ４３に進み、タッチ入力検出部７１ａは、入力部５１において、タッチされているキーがリリースされたか否かを判定する。
【００９９】
ステップＳ４３において、タッチされているキーがリリースされなかったと判定された場合、すなわち、図５のフローチャートのステップＳ１８においてプッシュされたキーがタッチされたままである場合、処理はステップＳ４４に進む。
【０１００】
ステップＳ４４において、スライド入力検出部７１ｂは、タッチされているキーからスライドされたか否かを判定する。
【０１０１】
ステップＳ４４において、タッチされているキーからスライドされたと判定された場合、すなわち、スライド入力検出部７１ｂがスライド入力を検出した場合、スライド入力検出部７１ｂは、対応する検出信号を、選択部７２に供給し、処理はステップＳ４５に進む。
【０１０２】
ステップＳ４５において、選択部７２は、スライド入力検出部７１ｂからの検出信号に基づいて、タッチされていたキーから上下方向にスライドされたか否かを判定する。より具体的には、選択部７２は、検出信号に含まれるスライド方向情報に基づいて、タッチされていたキーから上下方向にスライドされたか否かを判定する。
【０１０３】
ステップＳ４５において、タッチされていたキーから上下方向にスライドされたと判定された場合、処理はステップＳ４６に進む。
【０１０４】
ステップＳ４６において、表示部５４は、選択項目において、そのフォーカスを１つ進める。より具体的には、選択部７２は、表示部５４の選択項目において、そのフォーカスを１つ進めるように、入力文字列の変換候補を選択する。例えば、図１０で示される表示部５４においては、選択部７２は、選択項目“積”から、下方向にフォーカスを１つ遷移させるように、２番目の変換候補である“関”を選択する。その後、処理はステップＳ４２に戻る。
【０１０５】
一方、ステップＳ４５において、タッチされていたキーから上下方向にスライドされていないと判定された場合、すなわち、タッチされていたキーから左右方向にスライドされた場合、処理はステップＳ４７に進む。
【０１０６】
ステップＳ４７において、表示部５４は、選択項目において、そのフォーカスを１つ戻す。より具体的には、選択部７２は、表示部５４の選択項目において、そのフォーカスを１つ戻すように、入力文字列の選択候補を選択する。例えば、図１０で示される表示部５４においては、選択部７２は、選択項目“積”から、上方向に（この場合は、選択項目“籍”以降の図示せぬ選択項目に）フォーカスを１つ遷移させるように、例えば、変換候補“セキ”を選択する。その後、処理はステップＳ４２に戻る。
【０１０７】
すなわち、ステップＳ４２乃至Ｓ４７の処理において、プッシュもリリースもされないで、スライドが検出される毎に、そのスライド方向に応じて、表示部５４の選択項目におけるフォーカスが上または下に遷移する。
【０１０８】
一方、ステップＳ４３において、タッチされているキーがリリースされたと判定された場合、タッチ入力検出部７１ａは、そのリリース入力を検出し、対応する検出信号を決定部７３に供給して、処理はステップＳ４８に進む。
【０１０９】
ステップＳ４８において、制御部５５は、タッチ入力検出部７１ａがリリース入力を検出したことに応じて、終了フラグをＯＮし、処理はステップＳ４９に進む。
【０１１０】
また、ステップＳ４２において、タッチされているキーがプッシュされたと判定された場合、すなわち、プッシュ入力検出部７１ｃがプッシュ入力を検出した場合、プッシュ入力検出部７１ｃは、対応する検出信号を決定部７３に供給し、処理はステップＳ４９に進む。
【０１１１】
ステップＳ４９において、決定部７３は、タッチ入力検出部７１ａまたはプッシュ入力検出部７１ｃからの検出信号に基づいて、ステップＳ４２においてプッシュされたか、ステップＳ４３においてリリースされたときに表示部５４においてフォーカスのある選択項目の変換候補を決定し、対応する決定信号を表示部５４に供給する。
【０１１２】
例えば、ステップＳ１８の後、図１のキー２−３に対応するキーがタッチされ、下方向に３、上方向に１、左方向に１スライドされた場合、表示部５４においてフォーカスが遷移する選択項目に対応する変換候補は、図１１に示されるように、“積”、“関”、“席”、“咳”、“席”と遷移する。このとき、最終的にタッチされているキーは、図１のキー２−８に対応するキー（図中、網掛けされているキー）となり、そのキーがプッシュまたはリリースされると、表示部５４には、“席”の文字が表示される。
【０１１３】
以上の処理によれば、携帯端末装置３１は、文字入力における変換候補を選択する選択項目を表示し、入力部５１の上下方向または左右方向のキー間のスライド入力のみによって、表示部５４に表示された選択項目に対応した変換候補を選択することができる。
【０１１４】
図５のフローチャートの説明に戻り、ステップＳ２０の変換処理の後、処理はステップＳ２１に進む。
【０１１５】
一方、ステップＳ１９において、終了フラグがＯＦＦでないと判定された場合、すなわち、ステップＳ１５またはステップＳ１７において終了フラグがＯＮされた場合、ステップＳ２０をスキップし、処理はステップＳ２１に進む。
【０１１６】
ステップＳ２１において、制御部５５は、ステップＳ２０において決定部７３に所定の検出信号が供給されたことに応じて、終了フラグがＯＦＦであるか否かを判定する。
【０１１７】
ステップＳ２１において、終了フラグがＯＦＦであると判定された場合、処理はステップＳ２１に進み、携帯端末装置３１は、変換処理された文字の書式を設定する書式設定処理を実行する。
【０１１８】
［携帯端末装置による書式設定処理］
ここで、図１２のフローチャートを参照して、携帯端末装置３１による書式設定処理について説明する。
【０１１９】
ステップＳ７１において、表示部５４は、ステップＳ２０において変換された入力文字の書式を選択（設定）する選択項目を表示する。より具体的には、例えば、選択部７２は、記憶部５２から、文字の大きさを設定するための設定情報を読み出し、その設定情報を表示するための表示信号を表示部５４に供給する。表示部５４は、選択部７２からの表示信号に基づいて、入力文字の書式を選択する選択項目を表示する。
【０１２０】
例えば、ステップＳ２０において“席”が確定された場合、図１３に示されるように、表示部５４は、文字の大きさを設定するレベル“大きさ−２”、“大きさ−１”、“標準”、“大きさ＋１”、および“大きさ＋２”を選択する選択項目を表示する。図１３の表示部５４における選択項目においては、上から順番に、“大きさ−２”、“大きさ−１”、“標準”、“大きさ＋１”、および“大きさ＋２”の５つの大きさのレベルが表示されている。なお、選択項目が表示された直後においては、選択項目“標準”がフォーカスされている。
【０１２１】
ステップＳ７２において、プッシュ入力検出部７１ｃは、入力部５１において、タッチされているキーがプッシュされたか否かを判定する。
【０１２２】
ステップＳ７２において、タッチされているキーがプッシュされなかったと判定された場合、処理はステップＳ７３に進み、タッチ入力検出部７１ａは、入力部５１において、タッチされているキーがリリースされたか否かを判定する。
【０１２３】
ステップＳ７３において、タッチされているキーがリリースされなかったと判定された場合、すなわち、図５のフローチャートのステップＳ２０においてプッシュされたキーがタッチされたままである場合、処理はステップＳ７４に進む。
【０１２４】
ステップＳ７４において、スライド入力検出部７１ｂは、タッチされているキーからスライドされたか否かを判定する。
【０１２５】
ステップＳ７４において、タッチされているキーからスライドされたと判定された場合、すなわち、スライド入力検出部７１ｂがスライド入力を検出した場合、スライド入力検出部７１ｂは、対応する検出信号を、選択部７２に供給し、処理はステップＳ７５に進む。
【０１２６】
ステップＳ７５において、選択部７２は、スライド入力検出部７１ｂからの検出信号に基づいて、タッチされていたキーから上下方向にスライドされたか否かを判定する。より具体的には、選択部７２は、検出信号に含まれるスライド方向情報に基づいて、タッチされていたキーから上下方向にスライドされたか否かを判定する。
【０１２７】
ステップＳ７５において、タッチされていたキーから上下方向にスライドされたと判定された場合、処理はステップＳ７６に進む。
【０１２８】
ステップＳ７６において、表示部５４は、選択項目において、そのフォーカスを１つ進める。より具体的には、選択部７２は、表示部５４の選択項目において、そのフォーカスを１つ進めるように、入力文字列の変換候補を選択する。例えば、図１３で示される表示部５４においては、選択部７２は、選択項目“標準”から、下方向にフォーカスを１つ遷移させるように、大きさのレベル“大きさ＋１”を選択する。その後、処理はステップＳ７２に戻る。
【０１２９】
一方、ステップＳ７５において、タッチされていたキーから上下方向にスライドされていないと判定された場合、すなわち、タッチされていたキーから左右方向にスライドされた場合、処理はステップＳ７７に進む。
【０１３０】
ステップＳ７７において、表示部５４は、選択項目において、そのフォーカスを１つ戻す。より具体的には、選択部７２は、表示部５４の選択項目において、そのフォーカスを１つ戻すように、入力文字列の選択候補を選択する。例えば、図１３で示される表示部５４においては、選択部７２は、選択項目“標準”から、上方向にフォーカスを１つ遷移させるように、例えば、大きさのレベル“大きさ−１”を選択する。その後、処理はステップＳ７２に戻る。
【０１３１】
すなわち、ステップＳ７２乃至Ｓ７７の処理において、プッシュもリリースもされないで、スライドが検出される毎に、そのスライド方向に応じて、表示部５４の選択項目におけるフォーカスが上または下に遷移する。
【０１３２】
一方、ステップＳ７３において、タッチされているキーがリリースされたと判定された場合、タッチ入力検出部７１ａは、そのリリース入力を検出し、対応する検出信号を決定部７３に供給して、処理はステップＳ７８に進む。
【０１３３】
ステップＳ７８において、制御部５５は、タッチ入力検出部７１ａがリリース入力を検出したことに応じて、終了フラグをＯＮし、処理はステップＳ７９に進む。
【０１３４】
また、ステップＳ７２において、タッチされているキーがプッシュされたと判定された場合、すなわち、プッシュ入力検出部７１ｃがプッシュ入力を検出した場合、プッシュ入力検出部７１ｃは、対応する検出信号を決定部７３に供給して、処理はステップＳ７９に進む。
【０１３５】
ステップＳ７９において、決定部７３は、タッチ入力検出部７１ａまたはプッシュ入力検出部７１ｃからの検出信号に基づいて、ステップＳ７２においてプッシュされたか、ステップＳ４３においてリリースされたときに表示部５４においてフォーカスのある選択項目の、書式としての文字の大きさのレベルを決定し、対応する決定信号を表示部５４に供給する。
【０１３６】
例えば、ステップＳ２０の後、図１のキー２−３に対応するキーがタッチされ、下方向に２、スライドされた場合、表示部５４においてフォーカスが遷移する選択項目に対応する大きさのレベルは、図１４に示されるように、“（大きさ）＋１”、“（大きさ）＋２”と遷移する。このとき、最終的にタッチされているキーは、図１のキー２−９に対応するキー（図中、網掛けされているキー）となり、そのキーがプッシュまたはリリースされると、表示部５４には、大きさのレベルが“＋２”である文字“席”が表示される。
【０１３７】
ステップＳ８０において、プッシュ入力検出部７１ｃは、入力部５１において、所定のキーがプッシュされたか否かを判定する。
【０１３８】
ステップＳ８０において、いずれのキーもプッシュされていないと判定された場合、処理は、ステップＳ７１に戻る。
【０１３９】
２回目のステップＳ７１においては、表示部５４は、１回目のステップＳ７９において文字の大きさが設定された文字の色を選択（設定）する選択項目を表示する。より具体的には、例えば、選択部７２は、記憶部５２から、文字の色を設定するための設定情報を読み出し、その設定情報を表示するための表示信号を表示部５４に供給する。表示部５４は、選択部７２からの表示信号に基づいて、入力文字の色を選択する選択項目を表示する。
【０１４０】
以降、１回目の処理と同様にして、２回目の処理において文字の色が設定されると、３回目のステップＳ７１においては、文字の太字の設定の有無を選択する選択項目を表示し、４回目のステップＳ７１においては、文字の下線の有無を選択する選択項目を表示し、５回目のステップＳ７１においては、文字の斜体の設定の有無を選択する選択項目を表示する。その後のステップＳ７１においては、再び、文字の大きさを選択する選択項目を表示し、以降、文字の色、太字の設定、下線の有無、斜体の設定と、書体の設定についての処理が、ステップＳ８０において、所定のキーがプッシュされるまで、ステップＳ７１乃至Ｓ８０の処理が繰り返される。
【０１４１】
そして、ステップＳ８０において、所定のキーがプッシュされたと判定された場合、プッシュ入力検出部７１ｃは、そのプッシュ入力を検出し、対応する検出信号を決定部７３に供給する。決定部７３は、プッシュ入力検出部７１ｃからの検出信号に基づいて、ステップＳ７１乃至Ｓ７９の処理によって選択され、決定（設定）された文字の書式を確定し、処理は、図５のフローチャートのステップＳ２２に戻る。
【０１４２】
以上の処理によれば、携帯端末装置３１は、文字入力における書式を選択（設定）する選択項目を表示し、入力部５１の上下方向または左右方向のキー間のスライド入力のみによって、表示部５４に表示された選択項目に対応した書式を選択することができる。
【０１４３】
図５のフローチャートの説明に戻り、ステップＳ２２の書式設定処理の後、処理はステップＳ２３に進む。
【０１４４】
一方、ステップＳ２１において、終了フラグがＯＦＦでないと判定された場合、すなわち、ステップＳ１５、ステップＳ１７、またはステップＳ２０において終了フラグがＯＮされた場合、ステップＳ２２をスキップし、処理はステップＳ２３に進む。
【０１４５】
ステップＳ２３において、決定部７３は、上述した処理で、変換され、書式が設定された文字を表示する表示信号を、表示部５４に供給し、表示部５４は、表示信号に基づいて、文字を表示する。
【０１４６】
以上の処理によれば、携帯端末装置３１は、文字入力についての付随情報を選択する選択項目を表示し、入力部５１の上下方向または左右方向のキー間のスライド入力のみによって、表示部５４に表示された選択項目に対応した付随情報を選択することができる。
【０１４７】
また、上述した入力部５１の構成は、ハードウェアキーボード、ソフトウェアキーボードのいずれにも適用することができる。上述した入力部５１としてのテンキーにおいては、端のキーであっても、隣接するキーは必ず存在するので、入力部５１をソフトウェアキーボードで実現した場合には、端のキーは、キーボードが表示される領域外へのスライド入力を受け付ける必要がないので、キーボードが表示される領域の周囲に、スライドさせるための領域を設ける必要がなく、より小さい領域で入力部を構成することができる。また、入力部５１をハードウェアキーボードで実現した場合には、各キーがスライドの方向を検出する必要がないので、各キーが各方向のセンサを設ける必要がなく、より簡単な構造で入力部を構成することができる。すなわち、より小さい領域、かつ、より簡単な構造の入力部を構成することが可能となる。
【０１４８】
さらに、ユーザは、スライド入力によって連続的に操作することができるので、指の負担を少なくすることができ、入力する速度を上げることができる。さらに、選択する際に、プッシュ入力を必要としないので、誤って隣接するキーを押下することによる選択の間違いを減らすこともできる。
【０１４９】
なお、以上の処理において、入力部５１の各キーに割り当てられているのは、五十音のかな文字であるものとしたが、例えば、一般的な携帯電話機のように、各キーにアルファベットを割り当てるようにしてもよい。
【０１５０】
以上においては、本発明を、文字を入力する携帯端末装置に適用した例について説明してきたが、テレビジョン受像機においてコンテンツ（番組）を選択するためのリモートコントローラにも適用することができる。
【０１５１】
＜３．第２の実施の形態（テレビジョン受像機におけるコンテンツ選択）＞
［リモートコントローラおよびテレビジョン受像機の構成例］
図１５は、本発明を適用した入力装置としてのリモートコントローラ、および、対応するテレビジョン受像機の一実施の形態の構成例を示している。
【０１５２】
図１５において、リモートコントローラ１３１は、ユーザの操作に応じた処理（動作）の指示を、テレビジョン受像機１３２に供給する。より具体的には、例えば、リモートコントローラ１３１は、ユーザによって操作され、その操作に応じたコマンドをテレビジョン受像機１３２に送信する。テレビジョン受像機１３２は、リモートコントローラ１３１からのコマンドに基づいて、ユーザの操作に応じたコンテンツ（番組）を表示する。
【０１５３】
リモートコントローラ１３１は、入力部１５１、制御部１５２、および発光部１５３から構成される。
【０１５４】
なお、図１５のリモートコントローラ１３１において、入力部１５１および制御部１５２、並びに、制御部１５２に含まれる入力検出部１７１、選択部１７２、および決定部１７３は、図３の携帯端末装置３１における入力部５１および制御部５５、並びに、制御部５５に含まれる入力検出部７１、選択部７２、および決定部７３のそれぞれと、基本的に同様の機能を有するので、その説明は、適宜省略するものとする。また、入力検出部１７１に設けられているタッチ入力検出部１７１ａ、スライド入力検出部１７１ｂ、およびプッシュ入力検出部１７１ｃについても同様である。
【０１５５】
発光部１５３は、入力部１５１に対するユーザの操作に応じた制御部１５２からの制御信号を、赤外線によってテレビジョン受像機に送信（供給）する。
【０１５６】
テレビジョン受像機１３２は、チューナ１９１、通信部１９２、信号処理部１９３、表示部１９４、受光部１９５、および制御部１９６から構成されている。
【０１５７】
チューナ１９１は、図示せぬ放送局からの放送波である放送信号を受信し、その放送信号を復調して、その結果得られるコンテンツ（番組）の画像データおよび音声データを、信号処理部１９３に供給する。なお、チューナ１９１が受信する放送波は、デジタル信号の地上波であってもよいし、衛星を介して放射されるデジタル信号の衛星波であってもよい。
【０１５８】
通信部１９２は、図示せぬインターネット等のネットワークを介して、各種のデータの送受信を行う。例えば、通信部１９２は、図示せぬサーバからネットワークを介して、チューナ１９１が取得した番組に関連する情報である番組関連情報を取得し、信号処理部１９３に供給する。
【０１５９】
信号処理部１９３は、チューナ１９１からの画像データおよび音声データを、MPEG（Moving Picture Experts Group）2等の所定の方式で復号し、所定のデータ方式の変換処理や、D/A（Digital/Analog）変換処理などの所定の処理を施す。信号処理部１９３は、所定の処理の結果得られた画像信号を表示部１９４に供給するとともに、音声信号を図示せぬ音声出力部に供給する。
【０１６０】
また、信号処理部１９３は、通信部１９２からの各種のデータを表示するための表示信号を表示部１９４に供給する。
【０１６１】
表示部１９４は、信号処理部１９３からの画像信号に対応する画像を表示する。
【０１６２】
受光部１９５は、リモートコントローラ１３１の発光部１５３から赤外線で送信されてくる制御信号を受光し、光電変換して、制御部１９６に供給する。
【０１６３】
制御部１９６は、CPU、ROM（Read Only Memory）、RAM（Random Access Memory）等から構成される組み込み型のマイクロコンピュータにより構成され、ROMに記憶されているプログラムに基づいてテレビジョン受像機１３２全体を制御する。また、制御部１９６は、
必要に応じて、受光部１９５から供給される制御信号に対応して、各種の処理を実行する。
【０１６４】
［リモートコントローラによる番組選択処理］
次に、図１６のフローチャートを参照して、リモートコントローラ１３１による、テレビジョン受像機１３２における番組選択処理について説明する。
【０１６５】
ステップＳ１１１において、入力検出部１７１のタッチ入力検出部１７１ａは、入力部１５１において、所定のキーがタッチされたか否かを判定する。
【０１６６】
ここで、図１７を参照して、番組選択処理におけるリモートコントローラ１３１の入力部１５１と、テレビジョン受像機１３２の表示部１９４について説明する。
【０１６７】
図１７の上段の一番左（状態Ａ）に示されるように、入力部１５１の各キーには、対応する図１のキー２−１乃至２−１２の順番に、数字の「１」、「２」、「３」、「４」、「５」、「６」、「７」、「８」、「９」、「１０」、「１１」、および「１２」が記されている。そして、入力部１５１の各キーには、１チャンネル（１ｃｈ）乃至１２チャンネル（１２ｃｈ）の番組が対応付けられている。なお、図１７の状態Ａにおいて、表示部１９４には、１チャンネルの番組が表示されているが、これらのチャンネルの番組は、チューナ１９１によって取得され、信号処理部１９３によって所定の処理が施され、表示部１９４に画像信号として供給されたものである。なお、表示部１９４に表示される番組（コンテンツ）は、インターネット等のネットワーク上を介して通信部１９２が取得したものであってもよい。
【０１６８】
ステップＳ１１１において、図１７の状態Ａに示されるキーのうちのいずれのキーもタッチされていないと判定された場合、タッチ入力検出部１７１ａが、所定のキーにおけるタッチ入力を検出するまで、処理は繰り返される。
【０１６９】
一方、ステップＳ１１１において、図１７の状態Ａに示されるキーのうちの所定のキーがタッチされたと判定された場合、すなわち、タッチ入力検出部１７１ａがタッチ入力を検出した場合、タッチ入力検出部１７１ａは、対応する検出信号を決定部１７３に供給する。決定部１７３は、所定のキーがタッチされた旨の信号を、赤外線によって、発光部１５３に、テレビジョン受像機１３２に対して送信させる。
【０１７０】
ステップＳ１１２において、テレビジョン受像機１３２の表示部１９４は、リモートコントローラ１３１の入力部１５１においてタッチされたキーに対応する番組のメタデータを子画面に表示する。より具体的には、制御部１９６は、リモートコントローラ１３１から赤外線によって送信され、受光部１９５において受光された信号に基づいて、表示部１９４に、タッチされたキーに対応する番組のメタデータを子画面に表示させる。
【０１７１】
例えば、図１７の状態Ａにおいて、入力部１５１のキーのうちの、数字の「５」が記されたキーがタッチされた場合、図１７の状態Ｂに示されるように、表示部１９４は、子画面に、５チャンネルにおいて放送されている番組のメタデータ（例えば、サムネイル画像、番組名、放送開始時刻および放送終了時刻等）を表示する。なお、メタデータは、例えば、チューナ１９１によって、放送信号とともに取得されるものとする。
【０１７２】
ステップＳ１１３において、入力検出部１７１のプッシュ入力検出部１７１ｃは、入力部１５１において、所定のキー（例えば、ステップＳ１１１においてタッチされたキー）がプッシュされたか否かを判定する。
【０１７３】
ステップＳ１１３において、所定のキーがプッシュされなかったと判定された場合、処理はステップＳ１１４に進み、タッチ入力検出部１７１ａは、タッチされているキーがリリースされたか否かを判定する。
【０１７４】
ステップＳ１１４において、タッチされているキーがリリースされていないと判定された場合、処理はステップＳ１１５に進み、タッチ入力検出部１７１ａは、タッチされているキーにおいて、所定の時間以上タッチされているか否かを判定する。
【０１７５】
ステップＳ１１５において、所定の時間以上タッチされていないと判定された場合、処理はステップＳ１１２に戻る。
【０１７６】
一方、ステップＳ１１５において、所定の時間以上タッチされていると判定された場合、すなわち、タッチ入力検出部１７１ａが、ステップＳ１１１においてタッチされてから、所定の時間経過後においても、タッチ入力を検出している場合、タッチ入力検出部１７１ａは、対応する検出信号を決定部１７３に供給する。決定部１７３は、所定の時間以上タッチされている旨の信号を、赤外線によって、発光部１５３に、テレビジョン受像機１３２に対して送信させ、処理はステップＳ１１６に進む。
【０１７７】
ステップＳ１１６において、テレビジョン受像機１３２の制御部１９６は、リモートコントローラ１３１から赤外線によって送信され、受光部１９５において受光された信号に対応して、長タッチフラグをＯＮし、処理はステップＳ１１２に戻る。
【０１７８】
ここで、長タッチフラグは、テレビジョン受像機１３２の制御部１９６内の図示せぬ記憶領域にセットされるフラグであり、長タッチフラグのステータスに応じて、テレビジョン受像機１３２は、表示部１９４における子画面の表示を制御する。長タッチフラグは、番組選択処理が開始されたときにはＯＦＦされている。
【０１７９】
一方、ステップＳ１１４において、タッチされているキーがリリースされたと判定された場合、タッチ入力検出部１７１ａは、そのリリース入力を検出し、対応する検出信号を決定部７３に供給する。決定部１７３は、リリースされた旨の信号を、赤外線によって、発光部１５３に、テレビジョン受像機１３２に対して送信させ、処理はステップＳ１１７に進む。
【０１８０】
ステップＳ１１７において、テレビジョン受像機１３２の制御部１９６は、リモートコントローラ１３１から赤外線によって送信され、受光部１９５において受光された信号に対応して、終了フラグをＯＮし、処理はステップＳ１２２に進む。
【０１８１】
ここで、終了フラグは、テレビジョン受像機１３２の制御部１９６内の図示せぬ記憶領域にセットされるフラグであり、終了フラグがＯＮされると、テレビジョン受像機１３２は、番組選択処理における所定の処理をスキップして、番組選択処理を終了する。終了フラグは、番組選択処理が開始されたときにはＯＦＦされている。
【０１８２】
また、ステップＳ１１３において、所定のキーがプッシュされたと判定された場合、すなわち、プッシュ入力検出部１７１ｃがプッシュ入力を検出した場合、プッシュ入力検出部１７１ｃは、対応する検出信号を決定部１７３に供給する。決定部１７３は、プッシュされた旨の信号を、赤外線によって、発光部１５３に、テレビジョン受像機１３２に対して送信させ、処理はステップＳ１１８に進む。
【０１８３】
ステップＳ１１８において、テレビジョン受像機１３２の制御部１９６は、リモートコントローラ１３１から赤外線によって送信され、受光部１９５において受光された信号に対応して、長タッチフラグをＯＦＦする。なお、ステップＳ１１８の処理は、ステップＳ１１６において長タッチフラグがＯＮされた場合に実行される。
【０１８４】
ステップＳ１１９において、プッシュ入力検出部１７１ｃは、プッシュされたキーにおいて、所定の時間以上プッシュされているか否かを判定する。
【０１８５】
ステップＳ１１９において、所定の時間以上プッシュされていると判定された場合、すなわち、プッシュ入力検出部１７１ｃが、ステップＳ１１３においてプッシュされてから、所定の時間経過後においても、プッシュ入力を検出している場合、プッシュ入力検出部１７１ｃは、対応する検出信号を決定部１７３に供給する。決定部１７３は、所定の時間以上プッシュされている旨の信号を、赤外線によって、発光部１５３に、テレビジョン受像機１３２に対して送信させ、処理はステップＳ１２０に進む。
【０１８６】
ステップＳ１２０において、テレビジョン受像機１３２の制御部１９６は、リモートコントローラ１３１から赤外線によって送信され、受光部１９５において受光された信号に対応して、長プッシュフラグをＯＮする。
【０１８７】
ここで、長プッシュフラグは、テレビジョン受像機１３２の制御部１９６内の図示せぬ記憶領域にセットされるフラグであり、長プッシュフラグのステータスに応じて、テレビジョン受像機１３２は、表示部１９４の表示を制御する。長プッシュフラグは、番組選択処理が開始されたときにはＯＦＦされている。
【０１８８】
ステップＳ１２１において、テレビジョン受像機１３２の制御部１９６は、リモートコントローラ１３１から赤外線によって送信され、受光部１９５において受光された信号に対応して、終了フラグをＯＮする。
【０１８９】
一方、ステップＳ１１９において、所定の時間以上プッシュされていないと判定された場合、すなわち、プッシュ入力検出部１７１ｃが、ステップＳ１１３においてプッシュされてから、所定の時間経過前に、プッシュ入力を検出しなくなった場合、ステップＳ１２０，Ｓ１２１の処理はスキップされる。
【０１９０】
ステップＳ１２２において、テレビジョン受像機１３２の制御部１９６は、終了フラグがＯＦＦであるか否かを判定する。
【０１９１】
ステップＳ１２２において、終了フラグがＯＦＦであると判定された場合、処理はステップＳ１２３に進み、リモートコントローラ１３１およびテレビジョン受像機１３２は、タッチされたキーに対応する番組の番組関連情報を選択する番組関連情報選択処理を実行する。
【０１９２】
［リモートコントローラによる番組関連情報選択処理］
ここで、図１８のフローチャートを参照して、リモートコントローラ１３１による番組関連情報選択処理について説明する。
【０１９３】
ステップＳ１３１において、テレビジョン受像機１３２の表示部１９４は、子画面にメタデータが表示された番組の番組関連情報を選択する選択項目を表示する。より具体的には、制御部１９６は、リモートコントローラ１３１から赤外線によって送信され、受光部１９５において受光された信号に対応して、表示部１９４に、子画面にメタデータが表示された番組の番組関連情報を選択する選択項目を表示させる。また、このとき、制御部１９６は、表示部１９４に、子画面にメタデータが表示された番組を全画面に表示させる。
【０１９４】
例えば、図１７の状態Ｂにおいて、入力部１５１のキーのうちの、所定のキー（例えば、数字の「５」が記されたキー）がプッシュされた場合（ステップＳ１１３）、図１７の状態Ｃに示されるように、表示部１９４は、５チャンネルの番組を全画面に表示するとともに、その番組の番組関連情報を表示する。
【０１９５】
ここで、図１９を参照して、表示部１９４に表示される番組関連情報の詳細について説明する。
【０１９６】
図１９に示されるように、表示部１９４に表示される選択項目においては、上から順番に、“番組説明”、“出演者情報”、“関連音楽”、“関連画像”、“関連動画”、“関連書籍”、および“関連CD他”の７項目が表示されている。なお、選択項目が表示部１９４に表示された直後においては、選択項目“番組説明”がフォーカスされている。
【０１９７】
また、後述する、表示部１９４に表示される番組関連情報の内容は、チューナ１９１によって取得される番組に対応して、例えば、所定のサーバからインターネット等のネットワークを介して、通信部１９２によって取得される。
【０１９８】
例えば、“番組説明”である番組関連情報には、番組名、概要、出演者氏名、監督・製作者、放送総時間、経過時間、おすすめ度、外部リンク情報等が含まれる。“出演者情報”である番組関連情報には、出演者氏名、出演者のプロフィール、出演者からのコメント、出演者の画像（動画像を含む）等が含まれる。 “関連音楽”である番組関連情報には、番組に関連する楽曲名、アーティスト名、作詞・作曲者名、提供会社名、楽曲についてのコメント等が含まれる。“関連画像”である番組関連情報には、番組に関連する画像、画像についてのコメント等が含まれる。“関連動画”である番組関連情報には、番組に関連する動画（コンテンツ）名、サムネイル画像、出演者名、監督名、提供会社名等が含まれる。“関連書籍”である番組関連情報には、番組に関連する書籍名、サムネイル画像、著者名、出版会社名等が含まれる。“関連CD他”である番組関連情報には、番組に関連するCD（Compact Disc），DVD（Digital Versatile Disc）のタイトル、サムネイル画像、出演者名、監督名、発売会社名等が含まれる。
【０１９９】
ステップＳ１３２において、プッシュ入力検出部１７１ｃは、入力部１５１において、タッチされているキーがプッシュされたか否かを判定する。
【０２００】
ステップＳ１３２において、タッチされているキーがプッシュされなかったと判定された場合、処理はステップＳ１３３に進み、タッチ入力検出部１７１ａは、入力部１５１において、タッチされているキーがリリースされたか否かを判定する。
【０２０１】
ステップＳ１３３において、タッチされているキーがリリースされなかったと判定された場合、すなわち、図１６のフローチャートのステップＳ１１３においてプッシュされたキーがタッチされたままである場合、処理はステップＳ１３４に進む。
【０２０２】
ステップＳ１３４において、スライド入力検出部１７１ｂは、タッチされているキーからスライドされたか否かを判定する。
【０２０３】
ステップＳ１３４において、タッチされているキーからスライドされたと判定された場合、すなわち、スライド入力検出部１７１ｂがスライド入力を検出した場合、スライド入力検出部１７１ｂは、対応する検出信号を選択部１７２に供給し、処理はステップＳ１３５に進む。例えば、図１７の状態Ｃのように、数字の「５」が記されたキーがプッシュされた後、タッチされている状態から、上下左右いずれかの方向にスライドされた場合、処理はステップＳ１３５に進む。
【０２０４】
ステップＳ１３５において、選択部１７２は、スライド入力検出部１７１ｂからの検出信号に基づいて、タッチされたキーから上下方向にスライドされたか否かを判定する。より具体的には、スライド入力検出部１７１ｂからの検出信号には、タッチされたキーから上下方向にスライドされたか、左右方向にスライドされたかを示すスライド方向情報が含まれており、選択部１７２は、そのスライド方向情報に基づいて、タッチされたキーから上下方向にスライドされたか否かを判定する。
【０２０５】
ステップＳ１３５において、タッチされたキーから上下方向にスライドされたと判定された場合、処理はステップＳ１３６に進む。
【０２０６】
ステップＳ１３６において、テレビジョン受像機１３２の表示部１９４は、選択項目において、そのフォーカスを１つ進める。より具体的には、選択部１７２は、表示部１９４の選択項目において、そのフォーカスを１つ進めるように、全画面表示された番組の番組関連情報を選択する旨の信号を、赤外線によって、発光部１５３に、テレビジョン受像機１３２に対して送信させる。テレビジョン受像機１３２の制御部１９６は、リモートコントローラ１３１から赤外線によって送信され、受光部１９５において受光された信号に基づいて、表示部１９４に表示された番組の番組関連情報の選択項目において、そのフォーカスを１つ進めさせ、処理はステップＳ１３２に戻る。
【０２０７】
一方、ステップＳ１３５において、タッチされたキーから上下方向にスライドされていないと判定された場合、すなわち、タッチされたキーから左右方向にスライドされた場合、処理はステップＳ１３７に進む。
【０２０８】
ステップＳ１３７において、表示部１９４は、選択項目において、そのフォーカスを１つ戻す。より具体的には、選択部１７２は、表示部１９４の選択項目において、そのフォーカスを１つ戻すように、全画面表示された番組の番組関連情報を選択する旨の信号を、赤外線によって、発光部１５３に、テレビジョン受像機１３２に対して送信させる。テレビジョン受像機１３２の制御部１９６は、リモートコントローラ１３１から赤外線によって送信され、受光部１９５において受光された信号に基づいて、表示部１９４に表示された番組の番組関連情報の選択項目において、そのフォーカスを１つ戻させ、処理はステップＳ１３２に戻る。
【０２０９】
すなわち、ステップＳ１３２乃至Ｓ１３７の処理において、プッシュもリリースもされないで、スライドが検出される毎に、そのスライド方向に応じて、表示部１９４の選択項目におけるフォーカスが上または下に遷移する。
【０２１０】
一方、ステップＳ１３３において、タッチされているキーがリリースされたと判定された場合、タッチ入力検出部７１ａは、そのリリース入力を検出し、対応する検出信号を決定部１７３に供給する。決定部１７３は、リリースされた旨の信号を、赤外線によって、発光部１５３に、テレビジョン受像機１３２に対して送信させ、処理はステップＳ１３８に進む。
【０２１１】
ステップＳ１３８において、テレビジョン受像機１３２の制御部１９６は、リモートコントローラ１３１から赤外線によって送信され、受光部１９５において受光された信号に基づいて、終了フラグをＯＮし、処理は、図１６のフローチャートのステップＳ１２３に戻る。
【０２１２】
また、ステップＳ１３２において、タッチされているキーがプッシュされたと判定された場合、すなわち、プッシュ入力検出部１７１ｃがプッシュ入力を検出した場合、プッシュ入力検出部１７１ｃは、対応する検出信号を決定部１７３に供給する。決定部１７３は、プッシュ入力検出部１７１ｃからの検出信号に基づいて、赤外線によって、発光部１５３に、テレビジョン受像機１３２に対して送信させ、処理はステップＳ１３９に進む。
【０２１３】
ステップＳ１３９において、テレビジョン受像機１３２の制御部１９６は、リモートコントローラ１３１から赤外線によって送信され、受光部１９５において受光した信号に基づいて、表示部１９４においてフォーカスのある選択項目の番組関連情報を決定し、対応する決定信号を表示部１９４に供給する。
【０２１４】
ステップＳ１４０において、表示部１９４は、制御部１９６からの決定信号に基づいて、決定された番組関連情報を表示し、処理は、図１６のフローチャートのステップＳ１２３に戻る。
【０２１５】
例えば、図１７の状態Ｃの、数字の「５」が記されたキーがタッチされた状態から、図１７の状態Ｄに示されるように、下方向に２スライドされた場合、表示部１９４においてフォーカスが遷移する選択項目に対応する番組関連情報は、図１９の選択項目において上から３番目の“関連音楽”となる。このとき、タッチされているキーは、数字の「１１」が記されたキーとなり、そのキーがプッシュされると、図１７の状態Ｅに示されるように、表示部１９４の左下部には、関連音楽についての情報として“挿入曲は…”という表示がされる。
【０２１６】
以上のようにして、リモートコントローラ１３１は、テレビジョン受像機１３２の表示部１９４に表示された、番組についての付随情報である番組関連情報を選択する選択項目について、入力部１５１の上下方向または左右方向のキー間のスライド入力のみによって、選択項目に対応した番組関連情報を選択することができる。
【０２１７】
図１６のフローチャートに戻り、ステップＳ１２４において、制御部１９６は、終了フラグがＯＦＦであるか否かを判定する。
【０２１８】
ステップＳ１２４において、終了フラグがＯＦＦであると判定された場合、すなわち、ステップＳ１２３の番組関連情報選択処理において終了フラグがＯＮされなかった場合、処理はステップＳ１２３に戻り、終了フラグがＯＮされるまで（ステップＳ１３８）、番組関連情報選択処理が繰り返される。
【０２１９】
例えば、図１７の状態Ｅに示される状態から、いずれかのキー（例えば、数字の「１１」が記されたキー）からリリースされなかった場合、表示部１９４には、番組関連情報の選択項目が表示されたままとなる。なお、このとき、図１７の状態Ｅに示されるように、番組関連情報の選択項目においては、前回選択された選択項目“関連音楽”がフォーカスされている。このような状態から、図１７の状態Ｆに示されるように、入力部１５１において左方向に１スライドされると、表示部１９４においてフォーカスが遷移する選択項目に対応する番組関連情報は、図１９の選択項目において上から３番目の“関連音楽”から１つ上に戻った、２番目の“出演者情報”となる。このとき、タッチされているキーは、数字の「１０」が記されたキーとなり、そのキーがプッシュされると、図１７の状態Ｇに示されるように、表示部１９４の左下部には、「挿入曲は…」といった関連音楽についての情報に加えて、出演者情報としての「○○太郎」についての情報が表示される。
【０２２０】
ところで、ステップＳ１２２またはステップＳ１２４において、終了フラグがＯＦＦでないと判定された場合、すなわち、ステップＳ１１７、ステップＳ１２１、またはステップＳ１２３において、終了フラグがＯＮされた場合、表示部１９４は、番組関連情報の選択項目を表示していた場合には、その表示を終了し、処理はステップＳ１２５に進む。
【０２２１】
例えば、図１７の状態Ｇに示される状態において、数字の「１０」が記されたキーからリリースされた場合、図１７の状態Ｈに示されるように、表示部１９４においては、番組関連情報の選択項目が消え、５チャンネルで放送されている番組とともに、その番組についての「挿入曲は…」といった関連音楽についての情報と、出演者情報としての「○○太郎」についての情報とが表示される。
【０２２２】
ステップＳ１２５において、制御部１９６は、長タッチフラグがＯＦＦであるか否かを判定する。
【０２２３】
ステップＳ１２５において、長タッチフラグがＯＦＦでないと判定された場合、すなわち、長タッチフラグがＯＮである場合、処理はステップＳ１２６に進む。
【０２２４】
ステップＳ１２６において、制御部１９６は、ステップＳ１１１において選択された（タッチされた）キーに割り当てられているチャンネルの番組の、子画面における表示を決定し、表示部１９４の子画面に、選択されたチャンネルの番組を表示させる。
【０２２５】
例えば、図１７の状態Ｂと同一の状態である図２０の状態Ａに示されるように、数字の「５」が記されたキーがタッチされた状態から（ステップＳ１１１）、図２０の状態Ｂに示されるように、そのキーが所定の時間以上タッチされた後（ステップＳ１１５）、リリースされると（ステップＳ１１４）、図２０の状態Ｃに示されるように、表示部１９４の子画面においては、そのメタデータが表示されていた５チャンネルの番組自体が表示されるようになる。
【０２２６】
このように、テレビジョン受像機１３２は、リモートコントローラ１３１の入力部１５１におけるタッチ入力で選択されたチャンネルの番組を、入力部１５１において所定の時間以上タッチ入力されることによって、表示部１９４の子画面に表示することができる。したがって、ユーザは、より少ない操作で、所望の番組を視聴することが可能となる。
【０２２７】
一方、ステップＳ１２５において、長タッチフラグがＯＦＦであると判定された場合、処理はステップＳ１２７に進み、制御部１９６は、表示部１９４において表示されている子画面を非表示にする。なお、ステップＳ１２５の処理は、ステップＳ１２３の番組関連情報選択処理が実行された場合には、表示部１９４における子画面は既に非表示にされているので実行されない。
【０２２８】
ステップＳ１２８において、制御部１９６は、長プッシュフラグがＯＦＦであるか否かを判定する。
【０２２９】
ステップＳ１２８において、長プッシュフラグがＯＦＦでないと判定された場合、すなわち、長プッシュフラグがＯＮである場合、処理はステップＳ１２９に進む。
【０２３０】
ステップＳ１２９において、制御部１９６は、表示部１９４に、所定の時間以上プッシュされたキーに、子画面にメタデータが表示された番組のチャンネルを割り当てるかを確認するキー割り当て変更画面の表示をさせ、処理は終了する。
【０２３１】
例えば、図１７の状態Ｂと同一の状態である図２１の状態Ａに示されるように、数字の「５」が記されたキーがタッチされた状態から（ステップＳ１１１）、図２１の状態Ｂに示されるように、そのキーが所定の時間以上プッシュされると（ステップＳ１１９）、表示部１９４においては、プッシュされたキーに、子画面にメタデータが表示された番組のチャンネルを割り当てるかを確認するメッセージとして「５ボタン  ７ｃｈに変更しますか？  はい／いいえ」という表示がされるようになる。
【０２３２】
このように、テレビジョン受像機１３２は、リモートコントローラ１３１の入力部１５１におけるタッチ入力で選択されたチャンネルを、入力部１５１において、いわゆる長押しされたキーに割り当てることができる。これにより、例えば、ユーザは、自分の好みの順番に、リモートコントローラのキーに対してチャンネルを割り当てる等、リモートコントローラを使い勝手よくカスタマイズすることが可能となる。
【０２３３】
一方、ステップＳ１２８において、長プッシュフラグがＯＦＦであると判定された場合、処理は終了する。
【０２３４】
なお、図１７においては、全画面表示されている番組の番組関連情報を繰り返し選択させることで、表示部１９４が、番組関連情報を複数表示するようにしたが、番組関連情報に階層構造を持たせるようにすることで、表示部１９４が、より詳細な番組関連情報を表示するようにすることもできる。
【０２３５】
ここで、図２２を参照して、より詳細な番組関連情報を表示するテレビジョン受像機１３２の表示部１９４について説明する。
【０２３６】
図２２においては、図１７と同様に、リモートコントローラ１３１の入力部１５１に対する操作と、対応するテレビジョン受像機１３２の表示部１９４の表示が、状態Ａ乃至Ｇとして示されている。
【０２３７】
なお、図２２における状態Ａ乃至Ｄは、表示部１９４に表示されている選択項目の上側に、その選択項目が５チャンネルの番組についての番組関連情報であることを示す「５ｃｈ」（白抜き文字）の表示がなされている以外は、図１７における状態Ａ乃至Ｄのそれぞれと同一なので、その説明は省略する。
【０２３８】
図２２の状態Ｄにおいて、スライドされた後に、数字の「１１」が記されたキーがプッシュされると、図２２の状態Ｅに示されるように、表示部１９４の右側には、関連音楽についての情報としての、関連音楽である楽曲を選択する選択項目が表示される。図２２の状態Ｅの表示部１９４には、選択項目が関連音楽であることを示す「関連音楽」（白抜き文字）の表示と、関連音楽である楽曲“主題歌：○○”、“挿入曲：□□”、および“挿入曲：××”を選択する選択項目が表示されている。選択項目においては、一番上の“主題歌：○○”がフォーカスされている。
【０２３９】
図２２の状態Ｅの、数字の「１１」が記されたキーがタッチされた状態から、上方向に２スライドされた場合、図２２の状態Ｆに示されるように、表示部１９４においてフォーカスが遷移する選択項目に対応する関連音楽は、上から３番目の“挿入曲：××”となる。このとき、タッチされているキーは、数字の「５」が記されたキーとなり、そのキーがプッシュされると、図２２の状態Ｇに示されるように、表示部１９４の右側には、“挿入曲：××”についてのより詳細な情報を選択する選択項目が表示される。図２２の状態Ｇの表示部１９４には、選択項目が“挿入曲：××”についての情報であることを示す「挿入曲××」（白抜き文字）の表示と、“挿入曲：××”についてのより詳細な情報である“歌手：△△”、“ランキング：☆位”、および“視聴／購入”を選択する選択項目が表示されている。選択項目においては、一番上の“歌手：△△”がフォーカスされている。
【０２４０】
このように、番組関連情報に階層構造を持たせることで、表示部１９４には、番組関連情報についてのより詳細な（階層の深い）情報を選択するための選択項目を表示させることができ、ユーザは、視聴している番組に関連するより詳細な情報を得ることが可能となる。
【０２４１】
以上の処理によれば、リモートコントローラ１３１は、入力部１５１の上下方向または左右方向のキー間のスライド入力のみによって、テレビジョン受像機１３２の表示部１９４に表示されたコンテンツの付随情報を選択する選択項目において、選択項目に対応した付随情報を選択することができる。
【０２４２】
また、上述した入力部１５１の構成は、ハードウェアキーボード、ソフトウェアキーボードのいずれにも適用することができる。上述した入力部１５１としてのテンキーにおいては、端のキーであっても、隣接するキーは必ず存在するので、入力部１５１をソフトウェアキーボードで実現した場合には、端のキーは、キーボードが表示される領域外へのスライド入力を受け付ける必要がないので、キーボードが表示される領域の周囲に、スライドさせるための領域を設ける必要がなく、より小さい領域で入力部を構成することができる。また、入力部１５１をハードウェアキーボードで実現した場合には、各キーがスライドの方向を検出する必要がないので、各キーが各方向のセンサを設ける必要がなく、より簡単な構造で入力部を構成することができる。すなわち、より小さい領域、かつ、より簡単な構造の入力部を構成することが可能となる。
【０２４３】
さらに、ユーザは、スライド入力によって連続的に操作することができるので、指の負担を少なくすることができ、入力する速度を上げることができる。さらに、選択する際に、プッシュ入力を必要としないので、誤って隣接するキーを押下することによる選択の間違いを減らすこともできる。
【０２４４】
なお、図１５においては、リモートコントローラ１３１とテレビジョン受像機１３２とは、別個に構成されるものとしたが、リモートコントローラ１３１とテレビジョン受像機１３２とを含む１つの装置として構成されるようにしてもよい。
【０２４５】
また、上述した説明においては、リモートコントローラ１３１の各キーには、テレビジョン放送のチャンネルや、インターネット等のネットワークを介して配信される動画像、写真、音楽等のコンテンツが割り当てられる他、コンテンツの視聴に関わる種々のアプリケーション（機能）（例えば、番組表表示、音量調節、画質（音質）調整、表示モード切替等）を割り当てるようにもできる。これにより、所定のアプリケーションが割り当てられているキーがタッチされた後、スライドされることによって、アプリケーションによって設定されるパラメータが選択される。
【０２４６】
例えば、リモートコントローラ１３１において、番組表表示のアプリケーションが割り当てられているキーがタッチされた場合、テレビジョン受像機１３２の表示部１９４には、番組表が表示され、スライドされることによって、番組表中の番組を選択することができる。
【０２４７】
また、リモートコントローラ１３１において、音量調節のアプリケーションが割り当てられているキーがタッチされた場合、テレビジョン受像機１３２の表示部１９４には、音量調節用のボリュームが表示され、スライドされることによって、音量を調節することができる。
【０２４８】
さらに、リモートコントローラ１３１において、画質（音質）調整のアプリケーションが割り当てられているキーがタッチされた場合、テレビジョン受像機１３２の表示部１９４には、画質（音質）調整用のインジケータが表示され、スライドされることによって、画質（音質）を調整することができる。
【０２４９】
また、リモートコントローラ１３１において、表示モード切替のアプリケーションが割り当てられているキーがタッチされた場合、テレビジョン受像機１３２の表示部１９４には、アスペクト比を選択する選択項目が表示され、スライドされることによって、表示モードを切替えることができる。
【０２５０】
以上においては、本発明を、文字を入力する携帯端末装置や、テレビジョン受像機においてコンテンツ（番組）を選択するためのリモートコントローラに適用した例について説明してきたが、これに限らず、表示部に表示された選択項目に対応する情報を選択する機能を有する装置に適用することができる。
【０２５１】
なお、本発明の実施の形態は、上述した実施の形態に限定されるものではなく、本発明の要旨を逸脱しない範囲において種々の変更が可能である。
【符号の説明】
【０２５２】
１  入力部，  ２−１乃至２−１２，２  キー，  ３１  携帯端末装置，  ５１  入力部，  ５４  表示部，  ５５  制御部，  ７１  入力検出部，  ７１ａ  タッチ入力検出部，  ７１ｂ  スライド入力検出部，  ７１ｃ  プッシュ入力検出部，  ７２  選択部，  ７３  決定部，  １３１  リモートコントローラ，  １３２  テレビジョン受像機，  １５１  入力部，  １５２  制御部，  １７１  入力検出部，  １７１ａ  タッチ入力検出部，  １７１ｂ  スライド入力検出部，  １７１ｃ  プッシュ入力検出部，  １７２  選択部，  １７３  決定部，  １９４  表示部，  １９６  制御部
【図１】
2011013730.tif 000003
【図２】
2011013730.tif 000004
【図３】
2011013730.tif 000005
【図４】
2011013730.tif 000006
【図５】
2011013730.tif 000007
【図６】
2011013730.tif 000008
【図７】
2011013730.tif 000009
【図８】
2011013730.tif 000010
【図９】
2011013730.tif 000011
【図１０】
2011013730.tif 000012
【図１１】
2011013730.tif 000013
【図１２】
2011013730.tif 000014
【図１３】
2011013730.tif 000015
【図１４】
2011013730.tif 000016
【図１５】
2011013730.tif 000017
【図１６】
2011013730.tif 000018
【図１７】
2011013730.tif 000019
【図１８】
2011013730.tif 000020
【図１９】
2011013730.tif 000021
【図２０】
2011013730.tif 000022
【図２１】
2011013730.tif 000023
【図２２】
2011013730.tif 000024